(57)【要約】      （修正有）【課題】補強フレームによる床パンの高さ位置の上昇を抑えると共に、成形不良の発生を抑えて、床パンを補強フレームで補強した床パン補強構造を提供する。【解決手段】床パン補強構造は、リブ２を裏面１０ａに設けた床パン１と、床パン１を裏面１０ａ側から補強する補強フレーム７と、補強フレーム７を床パン１に取り付ける取付具８とを備えると共に、床パン１に取付具８固定用の凸部を設け、リブ２が、裏面１０ａから下方に突出し平行に複数並ぶ辺部２０を備えると共に、上方に凹んだ切溝４を辺部２０に交差して直線状に設け、補強フレーム７が、上方に立ち上がるリブ片７１を有した板状体７０で構成され、リブ片７１を切溝４内に配置して、板状体７０を取付具８で凸部に取り付けた。【選択図】図１
2013067944.tif 000002
【特許請求の範囲】
【請求項１】
リブを裏面に設けた床パンと、前記床パンを前記裏面側から補強する補強フレームと、前記補強フレームを前記床パンに取り付ける取付具とを備えると共に、前記床パンに前記取付具固定用の凸部を設け、
前記リブが、下方に突出し平行に複数並ぶ辺部を備えると共に、上方に凹んだ切溝を前記辺部に交差して直線状に設け、
前記補強フレームが、上方に立ち上がるリブ片を有した板状体で構成され、
前記リブ片を前記切溝内に配置して、前記板状体を前記取付具で前記凸部に取り付けた
ことを特徴とする床パン補強構造。
【請求項２】
前記切溝に沿った方向を縦方向とし、
前記凸部を前記裏面上において前記縦方向にずれた位置に複数設けた
ことを特徴とする請求項１に記載の床パン補強構造。
【請求項３】
前記リブが、前記切溝に平行の縦辺部と前記縦辺部に直交した横辺部とを備えた格子形状であり、前記切溝に沿った方向を縦方向とし、
前記凸部を、前記横辺部と前記縦辺部の交点位置、及び前記縦辺部と前記切溝の間に複数設けると共に、
前記縦辺部と前記切溝の間に設けた前記凸部が、前記交点位置に設けた前記凸部から前記縦方向にずれて位置する
ことを特徴とする請求項１又は請求項２に記載の床パン補強構造。
【発明の詳細な説明】
【技術分野】
【０００１】
本発明は、床パンを裏面側から補強フレームで補強する床パン補強構造に関する。
【背景技術】
【０００２】
従来から、浴室の床面を床パンで形成したユニットバスルームがあり、この床パンは、浴室利用者の荷重等に耐えられるよう所定の強度が求められる。そこで、床パンの裏面に下方に突出して格子状にリブを設けると共に、リブの下端に補強フレームを取り付けた床パン補強構造がある。この床パン補強構造において、補強フレームは、所謂チャンネル鋼材等の、板状体の両端辺から上方にリブ片が立ち上がる断面コ字状（Ｕ字状）で構成され、リブ片の突出先端には、突出方向に直交して面を有するフランジ部が設けてある。そして、このフランジ部をリブに当接すると共に、リブ上に設けたボスにフランジ部を介在させてボルトを取り付けることで、床パンの裏面に補強フレームを固定して、床パンを補強している。また、特許文献１等に示すように、補強フレームを角パイプで形成し、角パイプにボルト貫通用のボルト通し孔を設け、角パイプを貫通させてボルトをボス部に固定する床パンと補強フレームの固定構造もある。
【先行技術文献】
【特許文献】
【０００３】
【特許文献１】特開２００１−１７３０６１号公報
【発明の概要】
【発明が解決しようとする課題】
【０００４】
ところで、浴室は脱衣室に隣接し且つ出入り口を介して連通して設けられるため、近年では、脱衣室の床面と浴室の床面との高さの差が小さい（段差の小さい）、所謂バリアフリー構造の要望が増えている。しかしながら、従来の床パン補強構造では、フランジ部や角パイプをリブの下端に当接して補強フレームを取り付けるため、床パンの高さ位置が補強フレームの分高くなり易く、脱衣室との間の段差を小さく抑え難いという問題がある。
【０００５】
そこで、この事情を鑑み、補強フレームによる床パンの高さ位置の上昇を抑えて、床パンを補強フレームで補強した床パン補強構造を提供することを課題とした。
【課題を解決するための手段】
【０００６】
上記課題を解決するために、本発明の床パン補強構造は、リブを裏面に設けた床パンと、前記床パンを前記裏面側から補強する補強フレームと、前記補強フレームを前記床パンに取り付ける取付具とを備えると共に、前記床パンに前記取付具固定用の凸部を設け、前記リブが、下方に突出し平行に複数並ぶ辺部を備えると共に、上方に凹んだ切溝を前記辺部に交差して直線状に設け、前記補強フレームが、上方に立ち上がるリブ片を有した板状体で構成され、前記リブ片を前記切溝内に配置して、前記板状体を前記取付具で前記凸部に取り付けたことを特徴とする。
【０００７】
この床パン補強構造として、前記切溝に沿った方向を縦方向とし、前記凸部を前記裏面上において前記縦方向にずれた位置に複数設けたことが好ましい。
【０００８】
この床パン補強構造として、前記リブが、前記切溝に平行の縦辺部と前記縦辺部に直交した横辺部とを備えた格子形状であり、前記切溝に沿った方向を縦方向とし、前記凸部を、前記横辺部と前記縦辺部の交点位置、及び前記縦辺部と前記切溝の間に複数設けると共に、前記縦辺部と前記切溝の間に設けた前記凸部が、前記交点位置に設けた前記凸部から前記縦方向にずれて位置することが好ましい。
【発明の効果】
【０００９】
このような構成としたことで、補強フレームによる床パンの高さ位置の上昇を抑えて、床パンを補強フレームで補強することができる。
【図面の簡単な説明】
【００１０】
【図１】実施形態の一例の床パン補強構造の裏面側の斜視図である。
【図２】同上の床パンの斜視図である。
【発明を実施するための形態】
【００１１】
以下、本発明の実施形態を、図面に基づいて例示して説明する。
【００１２】
実施形態の一例の床パン補強構造は、図１に示すように、裏面１０ａにリブ２を設けた床パン１と、床パン１を裏面１０ａ側から補強する補強フレーム７と、補強フレーム７を床パン１に取り付ける取付具８とで主体が構成される。
【００１３】
床パン１は、図２に示すように、上面が浴室の床面となる板状の床パン本体１０と、床パン本体１０の下面（裏面１０ａ）から下方に突出して設けられたリブ２と、取付具８を取り付ける凸部５（詳細は後述する）とで主体が構成される。そして、床パン１は樹脂成型によって形成されており、床パン本体１０とリブ２と凸部５とを一体成形してある。以下、床パン本体１０の裏面１０ａに直交して視た平面視を基準に、裏面１０ａ上（平面上）の一方向を縦方向Ｄ１とし、裏面１０ａ上において縦方向Ｄ１に直交する方向を横方向Ｄ２とする。
【００１４】
リブ２は裏面１０ａ上に設けてあり、裏面１０ａから略同じ高さで下方に突出した辺部２０を格子形状に並べた構成となっている。そして、辺部２０は、横方向Ｄ２に沿った直線形状で縦方向Ｄ１に複数並ぶ横辺部２１と、縦方向Ｄ１に沿った直線形状で横方向Ｄ２に複数並ぶ縦辺部２２とに区別される。
【００１５】
更に、縦方向Ｄ１に並ぶ複数の横辺部２１は、縦辺部２２に平行した仮想直線上の位置に切欠き４０を有し、該切欠き４０は仮想直線に沿った方向（縦方向Ｄ１）及び下方に開口している。そして、この縦方向Ｄ１に並ぶ切欠き４０の列（切溝４）は、略平行に二列設けてあり、この二つの切溝４の横方向Ｄ２における間（切欠き４０の列の間）には一つの縦辺部２２が位置する。以下、切溝４の間に位置する上記縦辺部２２を、縦辺部２３として区別する。
【００１６】
また、一方の切溝４（第１切溝４１）から縦辺部２３までの横方向Ｄ２における寸法が、他方の切溝４（第２切溝４２）から縦辺部２３までの横方向Ｄ２における寸法に比べて、大きい構成となっている。そして、床パン１は、第１切溝４１と縦辺部２３の間の領域、及び縦辺部２３に、取付具８を捻じ込み固定する取付具固定用の凸部５が設けてある。
【００１７】
凸部５は裏面１０ａから下方に突出すると共に、下方に向かう程小径となる円錐形状で、下端が略平らな円形状の当接面となっており、この当接面の略中心に取付具８としてφ４程度のねじ８０が捻じ込まれる。そして、凸部５は突出先端（当接面）がリブ２の下端より下方に突出して位置する。更に、凸部５は、縦辺部２３に設けた第１凸部５１と、第１切溝４１と縦辺部２３の間の領域に設けた第２凸部５２とに区別される。
【００１８】
第１凸部５１は縦辺部２３の横辺部２１との交点位置に設けてあり、縦方向Ｄ１に所定の間隔を空けて複数設けてある。そのため、第１凸部５１は縦方向Ｄ１に並列に並んで設けてある。
【００１９】
第２凸部５２は、裏面１０ａ上において、第１切溝４１と縦辺部２３の間の領域で、第１凸部５１から横方向Ｄ２に離れると共に第１凸部５１から縦方向Ｄ１にずれた位置（斜交い位置）に設けてある。そして、第２凸部５２には、縦方向Ｄ１に直線状の縦リブ６２と、縦辺部２３に向けて横方向Ｄ２に直線状の横リブ６１とが設けてある。
【００２０】
縦リブ６２は縦辺部２２と略平行に並ぶと共に、第２凸部５２から離れる程上方（床パン本体１０側）に傾斜して設けてある。そして、縦リブ６２は小リブ６３によって横辺部２１を介して他の第２凸部５２の縦リブ６２と縦方向Ｄ１に繋がっており、小リブ６３は突出先端である下端が切欠き４０の上端（底）より上方側に位置しており、縦リブ６２に比べて床パン本体１０からの突出量が小さい。
【００２１】
横リブ６１は横辺部２１と平行に並ぶと共に、略同形となっており、下端が横辺部２１と略同じ高さに位置し、縦辺部２３と第２凸部５２とを横方向Ｄ２に繋いでいる。
【００２２】
補強フレーム７は、所謂チャンネル型の、縦方向Ｄ１に視て断面コ字状の部材となっており、床パンに比べて強度（剛性）の高い金属製が好ましい。そして、補強フレーム７は、図１に示すように、縦方向Ｄ１に長い長方形状の板状体７０と、板状体７０の両長辺から各々上方に立ち上がるリブ片７１とで構成されており、板状体７０とリブ片７１とは一体に形成されている。
【００２３】
板状体７０は、短辺側の寸法が第１切溝４１から縦辺部２３を介した第２切溝４２までの横方向Ｄ２における寸法と略同じ値となっており、長辺側の寸法が縦辺部２３の縦方向Ｄ１の寸法と略同じ値となっている。そして、板状部は上面を凸部５の下端に当接して配置されると共に、板状体７０の凸部５と上下に並ぶ部位には、取付具８を挿通させる取付孔が板面に貫通して設けてある。そのため、取付具８の軸部をこの取付孔を介して凸部５に捻じ込み取り付け、取付具８の頭部（ねじ頭）を板状体に当接させることで、補強フレーム７は取付具８により床パン１に固定される。
【００２４】
また、リブ片７１は板状体７０の長辺の略全長に亘って設けてあり、一方のリブ片７１が第１切溝４１内に配置され、他方のリブ片７１が第２切溝４２内に配置される。そして、リブ片７１の板状体７０からの突出量（高さ寸法）は、切欠き４０の下方の開口端から上端（底）までの深さ（高さ寸法）と、凸部５のリブ２からの突出量（高さ寸法）とを合わせた寸法と略同じ値となっている。
【００２５】
そのため、補強フレーム７は、リブ片７１の上端を切溝４の底に当接すると共に、板状体７０の板面を凸部５に当接した状態で、床パン１の裏面１０ａ側に固定され、床パン１を裏面１０ａ側から補強する。そして、切溝４にリブ片７１を配置したことで、補強フレーム７のリブ２からの突出量は、凸部５のリブ２からの突出量と板状体７０の板厚（上下における厚さ寸法）を合わせた寸法分と略同じ値となる。
【００２６】
更に、第１凸部５１を縦辺部２３上に設けたことで、成型時に、リブ２に比べて肉厚の部位（所謂、肉厚部）となる第１凸部５１に樹脂を充填させ易くなる。そして、縦辺部２３からずれた位置に設けた第２凸部５２を横リブ６１で縦辺部２３に繋げると共に縦リブ６２と小リブ６３で縦方向Ｄ１に繋げたことで、成型時に、肉厚部となる第２凸部５２に樹脂を充填させ易くなる。
【００２７】
以上のように、本実施形態の床パン補強構造は、補強フレーム７による床パン１の高さ位置の上昇を抑え易くなり、脱衣室の床面と浴室の床面との段差を小さく抑え易くすることができる。そして、凸部５を並列や斜交いに複数設けたことで、ボルトナットの代わりに、取付具８としてねじ８０を用いても、補強フレーム７の床パン１への取付強度を確保し易くすることができる。更に、ねじ８０を板状体７０を介して凸部５に取り付けたため、床パン１の下方側から上方側に向けて取付具８の取付作業を行え、取付作業時にリブ２等と取付用工具との干渉による作業性の低下を抑制し易くすることができる。
【００２８】
そして、ねじ８０を樹脂製の凸部５に捻じ込むことで補強フレーム７を床パン１に固定可能としたことで、ボルト固定用にナット等をボス（凸部５）に埋め込む準備工程を削減することができ、床パン１の製造性や施工性を向上させ易くなる。更に、第１凸部５１を縦辺部２２と横辺部２１の交点位置に設け、第２凸部５２を横リブ６１で縦辺部２２に繋ぐと共に縦リブ６２と小リブ６３とで横辺部２１を介して縦方向Ｄ１に繋いだことで、凸部５の成形不良を生じ難くすることができる。
【００２９】
なお、補強フレーム７は、リブ片７１を二つ有したものに限らず、断面Ｌ字状（所謂アングル型）等のリブ片７１が一つのものであってもよい。また、リブ片７１を板状体７０の端部に設けたものに限らず、板状体７０を複数の縦辺部２２に当接する断面Ｔ字状やＦ字状等であってもよく、このものでは断面Ｅ字状等のリブ片７１を三つ以上有したものであってもよい。また、床パン１成型時に切欠き４０を形成するもの（切欠き４０形成用の突出部を設けた金型で樹脂成形したもの）が好ましいが、樹脂成型後に切削等で切欠き４０を形成したものであってもよい。また、横辺部２１に沿った切溝４を縦辺部２２に設け、この切溝４にリブ片７１を配置すると共に横辺部２１に板状体７０を当接して、補強フレーム７を床パン１に取り付けてもよい。
【符号の説明】
【００３０】
１  床パン
１０ａ  裏面
２  リブ
２０  辺部
２１  横辺部
２２  縦辺部
４  切溝
４０  切欠き
５  凸部
５１  第１凸部     
５２  第２凸部
７  補強フレーム
７０  板状体
７１  リブ片
８  取付具
８０  ねじ
Ｄ１  縦方向
Ｄ２  横方向
【図１】
2013067944.tif 000003
【図２】
2013067944.tif 000004